(57)【要約】【課題】読取ぶれを解消することができる原稿読取装置を提供する。【解決手段】読取ガラス６上に原稿を送り込む入口ローラ１と読取ガラス６を通過した原稿を下流側に搬送する出口ローラ２を備え、原稿が両ローラに同時に係合される過程を有する原稿読取装置において、入口ローラ１と出口ローラ２の駆動系を独立させ、入口ローラ１と出口ローラ２を専用に駆動する２つのモータＭ１、Ｍ２を備えた。【選択図】        図１
2004262647.tif 000002
【特許請求の範囲】
【請求項１】
読取ガラス上に原稿を送り込む入口ローラと読取ガラスを通過した原稿を下流側に搬送する出口ローラを備え、原稿が両ローラに同時に係合される過程を有する原稿読取装置において、入口ローラと出口ローラの駆動系を独立させたことを特徴とする原稿読取装置。
【請求項２】
入口ローラと出口ローラを専用に駆動する２つのモータを備えたことを特徴とする請求項１記載の原稿読取装置。
【請求項３】
出口ローラの周速を入口ローラの周速より速く設定したことを特徴とする請求項１または２記載の原稿読取装置。
【請求項４】
予め設定されている入口ローラと出口ローラの周速比を変更可能としたことを特徴とする請求項３記載の原稿読取装置。
【請求項５】
原稿サイズに応じて入口ローラと出口ローラの周速比を変更することを特徴とする請求項４記載の原稿読取装置。
【発明の詳細な説明】
【０００１】
【発明の属する技術分野】
本発明は、読取ガラス上に原稿を送り込む入口ローラと読取ガラスを通過した原稿を下流側に搬送する出口ローラを備え、読取ガラスを通過する原稿を読取ガラスの一点である原稿読取部（原稿読取位置）で読み取る方式の原稿読取装置に関する。
【０００２】
【従来の技術】
例えば、特許文献１に記載された技術では、原稿読取部の下流の搬送駆動ローラと上流の搬送駆動ローラの周速比を、１．００３：１〜１．０３：１とする。また読取部上・下流の搬送駆動ローラは、同一の駆動系にて駆動され、周速差は搬送駆動ローラの外径寸法を変更することにより行う。
【０００３】
図２は上記従来例に係る原稿読取装置の構成図、図３ないし図５は図２に示す原稿読取装置における原稿搬送過程を示す図である。原稿読取部７の上流と下流に搬送駆動ローラが設けられている。原稿読取部７上流の搬送駆動ローラより、下流の搬送駆動ローラの周速を速くすることにより、上・下流の搬送駆動ローラの両方に係合して原稿読取部７を搬送される原稿は、下流の搬送駆動ローラに引っ張られた状態になるので、読取位置では原稿を張った状態にすることができる。
【０００４】
しかしながら、原稿は２つの搬送駆動ローラに係合して搬送されたときにすぐに張った状態となるわけではない。原稿読取部７上流の搬送駆動ローラ（これ以降、入口ローラと呼ぶ）１にて原稿Ｓは下ガイド板３にガイドされながら読取ガラス６上に搬送され、スケール４に沿いながら原稿読取部７下流の搬送駆動ローラ（これ以降、出口ローラと呼ぶ）２に搬送される（図３）。
【０００５】
原稿先端が出口ローラ２の搬送ニップ部に進入し、入口ローラ１と出口ローラ２の両方のローラに係合して搬送されるようになると、スケール４に沿って搬送されていた原稿Ｓは、出口ローラ２に引っ張られて徐々に持ち上がり（図４）、さらに両方のローラに係合されて搬送されていく間に、原稿Ｓは上ガイド板５に沿うような状態となる。これ以降、両ローラに係合して搬送されている間はガイド板５に沿うように、原稿Ｓは張られた状態で搬送される（図５）。
【０００６】
また、類似の技術として、スキューなく原稿などを処理位置に給送可能な装置に関し、原稿のスキューを信頼性高く矯正することを実現して、高品質な処理を可能な装置を提供することを目的とする特許文献２の「用紙自動給送装置および原稿読取装置並びに画像形成装置」が知られている。
【０００７】
【特許文献１】
特開２０００−３８２３４号公報
【特許文献２】
特開２００２−１２０９５６号公報
【０００８】
【発明が解決しようとする課題】
上述したように、原稿Ｓが張られた状態となる（スケール４に沿っていた原稿Ｓが上ガイド板５に沿うように搬送パスが変化する）のは、出口ローラ２の周速が入口ローラ１の周速よりも速いことによる。従って、原稿Ｓの搬送状態の変化に要する時間（原稿搬送量）は、入口ローラ１と出口ローラ２の周速差の大きさによる。周速差が大きければ原稿Ｓが張られるまでの原稿搬送量は小さく、周速差が小さければ原稿Ｓが張られるまでの原稿搬送量が大きくなる。
【０００９】
従来技術では、入口ローラ１と出口ローラ２を同一の駆動系にて駆動しているため、周速差は出口ローラ２の外径を入口ローラ１の外径より少し大きくすることにより、周速差が得られる。そのためローラ径のでき上がり寸法により、周速差が一義的に決まってしまう。
【００１０】
入口ローラ１と出口ローラ２の周速差が小さいと、原稿Ｓの搬送方向の長さが短い場合、張られた状態になる前に原稿Ｓの後端が入口ローラ１から抜けることになる。張られる前に原稿Ｓの後端が入口ローラ１から抜けると、原稿Ｓは出口ローラ２のみで搬送されるため、最短の搬送パス（ガイド板５に沿う搬送パス）になるように変化する。この結果原稿Ｓの線速は原稿読取部７でそれまでの搬送線速より遅くなり、原稿Ｓの読取ぶれが生じる。
【００１１】
本発明は、この読取ぶれを解消することができる原稿読取装置を提供することを目的とする。
【００１２】
【課題を解決するための手段】
上記目的を達成するために、請求項１記載の発明は、読取ガラス上に原稿を送り込む入口ローラと読取ガラスを通過した原稿を下流側に搬送する出口ローラを備え、原稿が両ローラに同時に係合される過程を有する原稿読取装置において、入口ローラと出口ローラの駆動系を独立させた原稿読取装置を最も主要な特徴とする。
【００１３】
請求項２記載の発明は、入口ローラと出口ローラを専用に駆動する２つのモータを備えた請求項１記載の原稿読取装置を主要な特徴とする。
【００１４】
請求項３記載の発明は、出口ローラの周速を入口ローラの周速より速く設定した請求項１または２記載の原稿読取装置を主要な特徴とする。
【００１５】
請求項４記載の発明は、予め設定されている入口ローラと出口ローラの周速比を変更可能とした請求項３記載の原稿読取装置を主要な特徴とする。
【００１６】
請求項５記載の発明は、原稿サイズに応じて入口ローラと出口ローラの周速比を変更する請求項４記載の原稿読取装置を主要な特徴とする。
【００１７】
【発明の実施の形態】
以下、本発明の実施の形態を図面に従って説明する。なお従来例と同一個所は同一符号を付して重複する説明は省略する。
【００１８】
図１は本発明の実施の形態に係る原稿読取装置の構成図である。入口ローラ１と出口ローラ２は駆動系が独立しており、入口ローラ１はモータＭ１にて駆動され、出口ローラ２はモータＭ２にて駆動される。入口ローラ１と出口ローラ２では、外径の寸法は同じ値とし、公差の設定を入口ローラ１では下側（公差：０／−ａ）にし、出口ローラ２では上側（公差：＋ａ／０）にしている。
【００１９】
これにより、入口ローラ１と出口ローラ２の回転数が同じになるようにモータＭ１、Ｍ２を駆動回転すると、２つのローラ外径差に応じた周速差が得られ、原稿は２つのローラ１、２に係合して搬送されている間に、張った状態になる。
【００２０】
ここでは図示していないが、本発明の原稿読取装置では、原稿読取部７に搬送されてくる前の給紙・搬送部に、原稿を検出するセンサが配置されており、入口ローラ１に原稿が搬送されてくる前に、原稿サイズがＡ５横送り（原稿搬送方向長さ：短手長さ）以下であるかどうかを判定する。原稿サイズ（長さ）は、前記のセンサにより原稿先端と後端を検出することにより判定する。
【００２１】
上述したように、本発明の原稿読取装置では、入口ローラ１と出口ローラ２の回転数が同じとなるようにモータＭ１、Ｍ２を含む駆動系を構成・制御しているため、２つのローラ１、２の外径差に応じた周速差が設定される。
【００２２】
また本発明では、原稿サイズ検知信号により、原稿の搬送方向長さがＡ５横送りよりも長いときには、駆動系の制御は現状の設定のままとし、Ａ５横送り以下の時には、モータＭ１またはモータＭ２の回転数を規定量変更し、現状設定の周速差よりも大きな周速差の設定に変更するように制御する。
【００２３】
例えば、モータＭ１の回転数をＡ小さくする。または、モータＭ２の回転数をＢ大きくする。または、モータＭ１の回転数をＣ小さくし、モータＭ２の回転数をＤ大きくするということである。
【００２４】
また本発明の原稿読取装置では、上述のモータ回転数の変更の規定量を変更する手段を有し、工程またはサービスによる調整ができるようにする。
【００２５】
【発明の効果】
本発明では、入口ローラと出口ローラの駆動を独立させることにより、周速差を大きく設定することができ、小サイズの原稿であっても２つのローラに係合して搬送されている間に、原稿は張った搬送状態となり、入口ローラから原稿後端が抜けた時の読取ぶれを解消できる。
【００２６】
また本発明により、周速差を自由に調整することができるので、小サイズにおいて原稿後端が入口ローラを抜けた時の読取ぶれを解消することができる。
【図面の簡単な説明】
【図１】本発明の実施の形態に係る原稿読取装置の構成図である。
【図２】従来例に係る原稿読取装置の構成図である。
【図３】図２に示す原稿読取装置における原稿搬送過程を示す図である。
【図４】図２に示す原稿読取装置における原稿搬送過程を示す図である。
【図５】図２に示す原稿読取装置における原稿搬送過程を示す図である。
【符号の説明】
１  入口ローラ
２  出口ローラ
６  読取ガラス
Ｍ１、Ｍ２  モータ
【図１】
2004262647.tif 000003
【図２】
2004262647.tif 000004
【図３】
2004262647.tif 000005
【図４】
2004262647.tif 000006
【図５】
2004262647.tif 000007